(57)【特許請求の範囲】
【請求項１】
容器体１口頸部へ嵌合させたキャップ２内から容器体内へ化粧ブラシ２０を垂設したマスカラ容器において、
上記キャップ２を、上記化粧ブラシ２０を筒５下部内から垂下するキャップ本体３と、該キャップ本体上部へ嵌合させたカバー部材４とで形成し、
上記キャップ本体３は、筒５下部の左右両部外面に上向き段部６を残して該上向き段部より上方筒壁外周部分を切除して平面部７に形成し、これら両平面部の中央部に上下両面閉塞の上下方向への割溝８を穿設し、
上記カバー部材４は、キャップ本体３上面へ載置した頂壁９の左右両部から側壁１０を垂下して、これら両側壁を両平面部７外面へ上下動自在に嵌合させると共に、両側壁下端を上向き段部６上面へ係合させ、かつ両側壁１０下部内面から回動軸１１を突設して、これら両回動軸を割溝８へ上下動自在に挿通させ、
上記キャップ本体３内面へ、櫛柄１６の上端部から突設した櫛部１７を上方へ向けて上下動自在に嵌合させ、かつ櫛柄１６下部に、割溝８に開口する軸孔１８を穿設して化粧櫛１５を形成し、
上記カバー部材４の回動軸１１を化粧櫛の軸孔１８内へ回動自在に、かつ抜出し不能に嵌合させ、
上記カバー部材４は、頂壁９をキャップ本体３上面へ載置し、両側壁１０を両平面部７外面へ上下動自在に嵌合させ、かつ両側壁１０下端を上向き段部６上面へ係合させた閉蓋位置と、上記化粧櫛１５を上昇させて、櫛部１７をキャップ本体３上方へ露出させ、かつ回動軸１１を中心に前後方向へ回動可能な開蓋位置とを有する、
ことを特徴とする化粧櫛付きマスカラ容器。
【発明の詳細な説明】
【０００１】
【発明の属する技術分野】
本発明は化粧櫛付きマスカラ容器に関する。
【０００２】
【従来の技術】
例えば、実開昭６２−７３８１６号等が示すように、容器体口頸部へ嵌合させたキャップ内から容器体内へ化粧ブラシを垂設したマスカラ容器が知られている。
【０００３】
【発明が解決しようとする課題】
マスカラ容器の使用直後、睫毛に櫛を通すことがあり、このためマスカラ容器に櫛を設けることが望まれていた。
【０００４】
請求項１記載の発明に係る化粧櫛付きマスカラ容器は、化粧ブラシを有するキャップ本体に化粧櫛を出没自在に嵌合させ、かつカバー部材をキャップ本体に取り付けて化粧櫛の出没をカバー部材の開閉に連動させることにより、上記要望を満たすと共に、カバー部材の紛失防止と化粧櫛の使用操作容易性の向上を図るものである。
【０００５】
【課題を解決するための手段】
第１の手段として、容器体１口頸部へ嵌合させたキャップ２内から容器体内へ化粧ブラシ２０を垂設したマスカラ容器において、
上記キャップ２を、上記化粧ブラシ２０を筒５下部内から垂下するキャップ本体３と、該キャップ本体上部へ嵌合させたカバー部材４とで形成し、
上記キャップ本体３は、筒５下部の左右両部外面に上向き段部６を残して該上向き段部より上方筒壁外周部分を切除して平面部７に形成し、これら両平面部の中央部に上下両面閉塞の上下方向への割溝８を穿設し、
上記カバー部材４は、キャップ本体３上面へ載置した頂壁９の左右両部から側壁１０を垂下して、これら両側壁を両平面部７外面へ上下動自在に嵌合させると共に、両側壁下端を上向き段部６上面へ係合させ、かつ両側壁１０下部内面から回動軸１１を突設して、これら両回動軸を割溝８へ上下動自在に挿通させ、
上記キャップ本体３内面へ、櫛柄１６の上端部から突設した櫛部１７を上方へ向けて上下動自在に嵌合させ、かつ櫛柄１６下部に、割溝８に開口する軸孔１８を穿設して化粧櫛１５を形成し、
上記カバー部材４の回動軸１１を化粧櫛の軸孔１８内へ回動自在に、かつ抜出し不能に嵌合させ、
上記カバー部材４は、頂壁９をキャップ本体３上面へ載置し、両側壁１０を両平面部７外面へ上下動自在に嵌合させ、かつ両側壁１０下端を上向き段部６上面へ係合させた閉蓋位置と、上記化粧櫛１５を上昇させて、櫛部１７をキャップ本体３上方へ露出させ、かつ回動軸１１を中心に前後方向へ回動可能な開蓋位置とを有する。
【０００６】
【発明の実施の形態】
以下、本発明に係る櫛付きマスカラ容器の実施形態を図面を参照しながら説明する。
１は容器体で、下面を閉塞する底壁から胴部１ａを起立し、該胴部上端部から口頸部を起立する。
２はキャップで、容器体１口頸部内面へ、直接に、又は凹凸の係合手段を介して着脱自在に嵌合させたキャップ本体３と、該キャップ本体へ嵌合させたカバー部材４とで形成する。
【０００７】
キャップ本体３は、筒５下端部の左右両部外面に上向き段部６を残して該上向き段部より上方筒壁外周部分を切除して、互いに軸対称の平面部７に形成する。そして、これら両平面部６の中央部に上下両面閉塞の上下方向への割溝８を穿設する。
なお、割溝８の溝幅は、図２に示すように、外側部分を外方へ向けテーパ状に拡開して拡幅する。また、キャップ本体３内面の横断面形状は、前後両辺を凸円弧状にした長方形状に形成する。
【０００８】
カバー部材４は、キャップ本体３上面へ載置した頂壁９の左右両縁から側壁１０を垂下して、これら両側壁を両平面部７外面へ上下動自在に嵌合させると共に、両側壁１０下端面を上向き段部６上面へ係合させる。
また、両側壁１０下端部内面から回動軸１１を突設して、該回動軸の左右方向中間部にフランジ１２を付設し、かつ該フランジの内側角部を切除してテーパ面１３に形成する。さらに、これら両回動軸１１を割溝８へ上下動自在に挿通させて、割溝内縁１４をフランジ１２外面側の基部へ上下動自在に係合させる。
【０００９】
１５は化粧櫛で、キャップ本体３内面へ、櫛柄１６の上端部から突設した櫛部１７を上方へ向けて上下動自在に嵌合させ、かつ櫛柄１６下部に、割溝８に開口する軸孔１８を穿設する。該軸孔は左右方向に延び、かつその左右両端部の一部は拡径されて大内径部１９を形成する。この大内径部には割溝８へ挿通させた回動軸１１のフランジ１２を前後方向へ回動自在に嵌合させる。
なお、櫛柄１６の横断面形状はキャップ本体３のそれにほぼ一致させる。
【００１０】
２０は化粧ブラシで、ブラシ軸２１と該ブラシ軸の下端部に形成したブラシ２２とで形成し、ブラシ軸２１上端部をキャップ本体３の下端部内面へ嵌合させて容器体１内へ垂下する。
【００１１】
次に本実施形態の作用について説明する。
図１はカバー部材４の閉蓋位置を示すもので、この状態においては化粧櫛１５はその全体がキャップ本体３内へ収納され、かつカバー部材４は、頂壁９をキャップ本体３上面へ載置し、両側壁１０を両平面部７外面へ上下動自在に嵌合させ、かつ両側壁１０下端を上向き段部６上面へ係合させている。
一方、化粧ブラシ２０は容器体１内へ垂下して収納されている。
【００１２】
使用するには、容器体１からキャップ本体３を離脱させて化粧ブラシ２０を露出させ、ブラシ２２に付着させた塗布物を睫毛に塗布する。
塗布後、キャップ本体３を容器体１へ嵌合させた後、カバー部材４を引っ張り上げて、櫛部１７をキャップ本体３から露出させ、次いで、図３に示すように、カバー部材４を、回動軸１１を中心にして、前後どちらかの方向へ回動させて、櫛部１７をカバー部材４から露出させた後、睫毛に櫛部１７を通す。
化粧櫛１５の使用後、カバー部材４を上記と逆方向へ回動させて直立させた後、これを押し下げると、化粧櫛１５もカバー部材４と共に下降してキャップ本体３内へ収納される。
【００１３】
【発明の効果】
請求項１記載の発明に係る櫛付きマスカラ容器は、化粧ブラシを有するキャップ本体に櫛を取り付けたので、マスカラ使用後の櫛の使用が容易であると共に、櫛をキャップ本体内へ嵌合させてカバー部材で閉蓋させるようにしたので、櫛を付加したにも係わらず形状を簡素にすることができる。
また、カバー部材をキャップ本体に取り付け、かつキャップ本体に対する櫛の出し入れをカバー部材の開閉操作に連動させるので、カバー部材の紛失防止が図れると共に、櫛の使用操作も容易になる。
【図面の簡単な説明】
【図１】本発明に係る化粧櫛付きマスカラ容器を示すもので、化粧櫛の収納状態を示す斜視図。
【図２】同じく、図１のＸ−Ｘ線に沿う断面図。
【図３】同じく、化粧櫛の使用状態を示す斜視図。
【符号の説明】
１  容器体
２  キャップ
３  キャップ本体
４  カバー部材
５  筒
６  上向き段部
７  平面部
８  割溝
９  頂壁
１０  側壁
１１  回動軸
１５  化粧櫛
１６  櫛柄
１７  櫛部
１８  軸孔
２０  化粧ブラシ
【図１】
0003698237.tif 000002
【図２】
0003698237.tif 000003
【図３】
0003698237.tif 000004